(57)【要約】【課題】  部品点数を削減し、低コストにて容易に平行度を導出でき、かつ導出した平行度を簡単な構造にて確実に維持できる圧着面調整機構を提供する。【解決手段】  圧着面調整機構５０は、支持部３０および圧着部４０にそれぞれ当接する支持部取付面５０ａおよび圧着部取付面５０ｂを互いに対向する一対の面として有するブロック体５０ｃを備えている。ブロック体５０ｃには支持部取付面５０ａと圧着部取付面５０ｂとの間に開閉自在な隙間５１，５２が２つ形成され、隙間５１，５２の開度を調整して位置決め固定する調整ねじ６１，６２が備えられている。圧着面調整機構５０は、調整ねじ６１，６２によって隙間５１，５２を所定の開度だけ開き位置決め固定され、その後その状態にてブロック体５０ｃの支持部取付面５０ａおよび圧着部取付面５０ｂを互いに平行となるように研削されている。【選択図】  図４
2005158888.tif 000002
【特許請求の範囲】
【請求項１】
保持面に当接されて着脱可能に保持された被圧着体に対して移動可能に設けられた支持部と前記被圧着体に当接して圧着する圧着部との間に介装されて前記保持面に対して前記圧着部の圧着面を平行に調整する圧着面調整機構であって、前記支持部および圧着部にそれぞれ当接する支持部取付面および圧着部取付面を互いに対向する一対の面として有する一体構造体であり、前記支持部取付面と圧着部取付面との間に開閉自在な隙間が１また２以上形成され、前記隙間の開度を調整して位置決め固定する調整手段を備えた圧着面調整機構の製造方法において、
前記調整手段によって前記隙間を所定の開度だけ開き位置決め固定し、その後その状態にて前記一体構造体の支持部取付面および圧着部取付面を互いに平行となるように研削することを特徴とする圧着面調整機構の製造方法。
【請求項２】
請求項１において、前記調整手段は調整ねじから構成されたことを特徴とする圧着面調整機構の製造方法。
【請求項３】
保持面に当接されて着脱可能に保持された被圧着体に対して移動可能に設けられた支持部と前記被圧着体に当接して圧着する圧着部との間に介装されて前記保持面に対して前記圧着部の圧着面を平行に調整する圧着面調整機構において、
前記圧着面調整機構は、前記支持部および圧着部にそれぞれ当接する支持部取付面および圧着部取付面を互いに対向する一対の面として有する一体構造体であり、前記支持部取付面と圧着部取付面との間に開閉自在な隙間が１また２以上形成され、前記隙間の開度を調整して位置決め固定する調整手段を備え、前記調整手段によって前記隙間を所定の開度だけ開き位置決め固定され、その後その状態にて前記一体構造体の支持部取付面および圧着部取付面を互いに平行となるように研削されたことを特徴とする圧着面調整機構。
【請求項４】
請求項３において、前記調整手段は調整ねじから構成されたことを特徴とする圧着面調整機構。
【請求項５】
請求項３において、前記一体構造体は弾性材からなるブロック体であることを特徴とする圧着面調整機構。
【請求項６】
請求項５において、前記ブロック体に前記隙間としてすり割りを形成したことを特徴とする圧着面調整機構。
【請求項７】
請求項５において、前記調整手段によって前記ブロック体を弾性変形させて前記隙間を所定の開度だけ開き位置決め固定され、その後その状態にて前記ブロック体の支持部取付面および圧着部取付面を互いに平行となるように研削されたことを特徴とする圧着面調整機構。
【請求項８】
請求項３において、前記隙間が２以上形成される場合には、前記各隙間を互いに異なる方向に開閉するようにしたことを特徴とする圧着面調整機構。
【発明の詳細な説明】
【技術分野】
【０００１】
本発明は、液晶パネルなどの基板に液晶駆動ＩＣなどの部品を圧着するための圧着ヘッドに設けられた圧着面調整機構およびその製造方法に関する。
【背景技術】
【０００２】
従来から、圧着面調整機構としては、保持面に当接されて着脱可能に保持された被圧着体（例えば液晶駆動ＩＣが異方性導電性接着剤シート（以下ＡＣＦという）を介して液晶パネルの基板に仮付けされたもの）に対して移動可能に設けられた支持部と被圧着体に当接して圧着する圧着部との間に介装されて保持面に対して圧着部の圧着面を平行に調整するものが知られている。
【０００３】
このような圧着面調整機構の一形式として、被圧着体１を載置するステージ２、ステージ２に載置した被圧着体１を加熱加圧する熱圧着ヘッド３及び熱圧着ヘッド３を支持する支持体４を有する熱圧着装置２００において、支持体４に、熱圧着ヘッド３の熱圧着面３ａとステージ面２ａとの平行度をクサビ機構により微調整する平行度調整手段（圧着面調整機構）２０を設けたものがある（特許文献１）。この平行度調整手段２０Ａは、Ｖ字状溝Ａを有するブラケット２１と、Ｖ字状溝Ａ内をＶ字の深さ方向ｘに移動するクサビ２２、クサビ２２と螺合しｘ方向に移動させるクサビ移動ネジ２３を有している。クサビ移動ネジ２３の端部にはハンドル２６が設けられ、空間Ｄ内で当て板２７が固着されている。ハンドル２６を回すとクサビ移動ネジ２３も回転しクサビ２２がｘ方向に移動する。また、ブラケット２１にはＶ字状溝Ａの開きＢを閉じる方向に圧力を加えるサラネジ２５が取り付けられ、クサビ２２の移動により所定の大きさに開かれたＶ字状溝Ａをその大きさに固定する固定用ボルト２８が取り付けられている。
【０００４】
また他の一形式として、ツール１５の加圧面の位置を調整するようにツールの長手方向に適当ピッチ間隔で調整ねじ手段２０を配設し、固定ボルトにてツール１５を締結固定するようにしたものがある（特許文献２）。具体的には、調整ねじ手段２０が、ツール１５の加圧面と対向する面に当接するとともに軸芯部に貫通穴２４を形成された押圧調整ねじ２３と、この押圧調整ねじ２３の貫通穴２４に挿通されるとともにツール１５の加圧面と対向する面に形成された雌ねじ穴２２に螺合する引上げ調整ねじ２５にて構成されたものである。
【特許文献１】特開平９−１６１９３５号公報（第４〜６頁、第１，２，４図）
【特許文献２】特開平８−２２９７６６号公報（第４，５頁、第１〜３図）
【発明の開示】
【発明が解決しようとする課題】
【０００５】
上述した前半の圧着面調整機構においては、平行度調整手段２０Ａを構成する部品点数が多いので、構造が複雑になったり、コスト高となったりするという問題がある。また、ハンドル２６によって平行に調整した後に、固定用ボルト２８によって固定するので、操作が容易でなく、また固定用ボルト２８を閉め忘れるとせっかく平行に調整しても平行でなくなるという問題があった。
【０００６】
また後半の圧着面調整機構においては、前半の圧着面調整機構に比べて構造は簡単であるが、調整ねじ手段２０は押圧調整ねじ２３とこの押圧調整ねじ２３の貫通穴２４に挿通される引上げ調整ねじ２５にて構成されており、この調整ねじ手段２０は構造上普通のねじに比べてコスト高であり、また押圧調整ねじ２３および引上げ調整ねじ２５を調整するのは普通のねじに比べて技術を要する。
【０００７】
本発明は、上述した各問題を解消するためになされたもので、部品点数を削減し、低コストにて容易に平行度を導出でき、かつ導出した平行度を簡単な構造にて確実に維持できる圧着面調整機構を提供することを目的とする。
【課題を解決するための手段】
【０００８】
上記の課題を解決するため、請求項１に係る発明の構成上の特徴は、保持面に当接されて着脱可能に保持された被圧着体に対して移動可能に設けられた支持部と被圧着体に当接して圧着する圧着部との間に介装されて保持面に対して圧着部の圧着面を平行に調整する圧着面調整機構であって、支持部および圧着部にそれぞれ当接する支持部取付面および圧着部取付面を互いに対向する一対の面として有する一体構造体であり、支持部取付面と圧着部取付面との間に開閉自在な隙間が１また２以上形成され、隙間の開度を調整して位置決め固定する調整手段を備えた圧着面調整機構の製造方法において、調整手段によって隙間を所定の開度だけ開き位置決め固定し、その後その状態にて一体構造体の支持部取付面および圧着部取付面を互いに平行となるように研削することである。
【０００９】
請求項２に係る発明の構成上の特徴は、請求項１において、調整手段は調整ねじから構成されたことである。
【００１０】
請求項３に係る発明の構成上の特徴は、保持面に当接されて着脱可能に保持された被圧着体に対して移動可能に設けられた支持部と被圧着体に当接して圧着する圧着部との間に介装されて保持面に対して圧着部の圧着面を平行に調整する圧着面調整機構において、圧着面調整機構は、支持部および圧着部にそれぞれ当接する支持部取付面および圧着部取付面を互いに対向する一対の面として有する一体構造体であり、支持部取付面と圧着部取付面との間に開閉自在な隙間が１また２以上形成され、隙間の開度を調整して位置決め固定する調整手段を備え、調整手段によって隙間を所定の開度だけ開き位置決め固定され、その後その状態にて一体構造体の支持部取付面および圧着部取付面を互いに平行となるように研削されたことである。
【００１１】
請求項４に係る発明の構成上の特徴は、請求項３において、調整手段は調整ねじから構成されたことである。
【００１２】
請求項５に係る発明の構成上の特徴は、請求項３において、一体構造体は弾性材からなるブロック体であることである。
【００１３】
請求項６に係る発明の構成上の特徴は、請求項５において、ブロック体に隙間としてすり割りを形成したことである。
【００１４】
請求項７に係る発明の構成上の特徴は、請求項５において、調整手段によってブロック体を弾性変形させて隙間を所定の開度だけ開き位置決め固定され、その後その状態にてブロック体の支持部取付面および圧着部取付面を互いに平行となるように研削されたことである。
【００１５】
請求項８に係る発明の構成上の特徴は、請求項３において、隙間が２以上形成される場合には、各隙間を互いに異なる方向に開閉するようにしたことである。
【発明の効果】
【００１６】
上記第１の構成上の特徴を有する圧着面調整機構の製造方法においては、一体構造体に形成された隙間を調整手段によって所定の開度だけ開き位置決め固定し、その後その状態にて一体構造体の支持部取付面および圧着部取付面を互いに平行となるように研削する。これにより、支持部取付面と圧着部取付面とを予め平行とした圧着面調整機構を製造することができる。この圧着面調整機構を支持部と圧着部との間に介装することにより、調整することなく保持面に対して圧着部の圧着面を平行にすることができる。また調整が必要となる場合であっても微調整で平行にすることができる。
【００１７】
上記のように構成した請求項２に係る発明においては、調整手段は調整ねじから構成されているので、簡単な構成にて一体構造体に形成された隙間を所定の開度だけ開くことができ、かつ確実に位置決め固定することができる。
【００１８】
上記第３の構成上の特徴を有する圧着面調整機構においては、圧着面調整機構は、支持部および圧着部にそれぞれ当接する支持部取付面および圧着部取付面を互いに対向する一対の面として有する一体構造体であり、支持部取付面と圧着部取付面との間に開閉自在な隙間が１また２以上形成され、隙間の開度を調整して位置決め固定する調整手段を備え、調整手段によって隙間を所定の開度だけ開き位置決め固定され、その後その状態にて一体構造体の支持部取付面および圧着部取付面を互いに平行となるように研削されている。したがって、予め支持部取付面と圧着部取付面とを平行に加工した圧着面調整機構を支持部と圧着部との間に介装することにより、調整することなく保持面に対して圧着部の圧着面を平行にすることができる。また調整が必要となる場合であっても微調整で平行にすることができる。
【００１９】
上記のように構成した請求項４に係る発明においては、調整手段は調整ねじから構成されているので、簡単な構成にて一体構造体に形成された隙間を所定の開度だけ開くことができ、かつ確実に位置決め固定することができる。
【００２０】
上記のように構成した請求項５に係る発明においては、一体構造体は弾性材からなるブロック体であるので、簡単な構造にて容易に弾性変形させることができる。
【００２１】
上記のように構成した請求項６に係る発明においては、ブロック体に隙間としてすり割りを形成したので、簡単な構造にて隙間を形成することができる。
【００２２】
上記のように構成した請求項７に係る発明においては、圧着面調整機構は、調整手段によってブロック体を弾性変形させて隙間を所定の開度だけ開き位置決め固定され、その後その状態にてブロック体の支持部取付面および圧着部取付面を互いに平行となるように研削される。これにより、ブロック体の弾性力を利用して常時隙間を閉じるようにし、調整手段によって弾性力に抗して隙間を開くようにすることができる。したがって、圧着面調整機構を簡単な構成にすることができる。
【００２３】
上記のように構成した請求項８に係る発明においては、圧着面調整機構に隙間が２以上形成される場合には、各隙間を互いに異なる方向に開閉するようにしたので、一体構造体の支持部取付面および圧着部取付面の平行度の調整を同一方向だけでなく複数の異なる方向で行うことができるため、より確実に平行度を導出することができる。
【発明を実施するための最良の形態】
【００２４】
以下、本発明による圧着面調整機構を適用した圧着装置の一実施の形態について図面を参照して説明する。図１は圧着装置の一部を示す側面図である。図２乃至図５は圧着面調整機構を示す上面図、下面図、正面図および側面図である。
【００２５】
圧着装置Ａは、図１に示すように、被圧着体１０を上面２０ａ（保持面）に載置されて保持するテーブル２０と、テーブル２０に載置された被圧着体１０に対して移動可能に設けられて圧着部４０を支持する支持部３０と、テーブル２０に載置された被圧着体１０に圧着面４０ａを当接させて押圧し加熱することにより圧着する圧着部４０と、支持部３０と圧着部４０との間に介装されてテーブル２０の上面２０ａに対して圧着部４０の圧着面４０ａを平行に調整する圧着面調整機構５０を備えている。
【００２６】
被圧着体１０は、液晶駆動ＩＣ１１が異方性導電性接着剤シート（図示省略）を介して液晶１２を搭載した基板１３上に仮付けされたものである。この被圧着体１０の液晶駆動ＩＣ１１が圧着部４０によって圧着されると、液晶駆動ＩＣ１１と液晶１２との各電極が接続される。
【００２７】
テーブル２０は、基台（図示省略）に水平方向に移動可能に取り付けられている。水平に設置されたテーブル２０の上面（保持面）２０ａには被圧着体１０の圧着部位すなわち液晶駆動ＩＣ１１が搭載されている部位が当接されて着脱可能に保持されている。被圧着体１０は上面２０ａに設けた吸引孔（図示省略）に吸引されて保持され、吸引解除により離脱できるようになっている。
【００２８】
支持部３０は、同一水平面上の異なる２方向すなわちＸ軸方向およびＹ軸方向に移動されるＸＹスライダ３１にＺ軸方向（上下方向）に移動可能に取り付けられたものである。ＸＹスライダ３１は図示しないモータにより移動される。このＸＹスライダ３１の側面には上下方向に延在するガイドレール３２が取り付けられており、このガイドレール３２に摺動可能に係合する摺動係合部材３３に支持部３０が取り付けられている。
【００２９】
この支持部３０の下面には、圧着面調整機構５０が取付固定されている。圧着面調整機構５０は、図２から図５に示すように、支持部３０および圧着部４０にそれぞれ当接する支持部取付面５０ａおよび圧着部取付面５０ｂを互いに対向する一対の面として有する一体構造体としてのブロック体５０ｃを備えている。このブロック体５０ｃは弾性材（本実施の形態においては金属材）から形成されている。圧着面調整機構５０には、図４および図５に示すように、支持部取付面５０ａと圧着部取付面５０ｂとの間に開閉自在な２つの隙間であるすり割り５１，５２が上下方向に並べて互いに異なる方向（本実施の形態においては９０度ずらしている）に開閉するように形成されている。またすり割り５１，５２は、後述するようにブロック体５０ｃの弾性力によって常時隙間を閉じるように付勢されている。
【００３０】
両すり割り５１，５２の深さは、すり割りを容易に拡げることができ、かつ拡げた際にひび割れを起こしたり折れたりしない程度の連結しろ５１ａ，５２ａを残すようにそれぞれ設定されている。これら連結しろ５１ａ，５２ａは、すり割り５１，５２によって分けられた上段５３，中段５４および下段５５を連結する部分であり、ブロック体５０ｃの端の部分に形成されている。
【００３１】
圧着面調整機構５０には、図４および図５に示すように、すり割り５１の開度を調整して位置決め固定する調整手段としての調整ねじ６１、すり割り５２の開度を調整して位置決め固定する調整手段としての調整ねじ６２が備えられている。調整ねじ６１は連結しろ５１ａの反対側端に２つ配置されており、中段５４に形成されたねじ孔５４ａに螺合し、調整ねじ６１の先が上段５３の当接孔５３ａに当接するようになっている。なお、下段５５には調整ねじ６１が螺合するねじ孔５４ａに対向する位置に貫通孔５５ａが設けられており、調整ねじ６１は貫通孔５５ａを挿通されてねじ孔５４ａに螺合される。すり割り５１は常時隙間を閉じる方向に付勢されており、上段５３の当接孔５３ａに当接した調整ねじ６１を締める方向に回すと、付勢力に抗してすり割り５１の隙間は開き、一方調整ねじ６１を緩める方向に回すと、付勢力によってすり割り５１の隙間は閉じる。
【００３２】
調整ねじ６２は連結しろ５２ａの反対側端に２つ配置されており、下段５５に形成されたねじ孔５５ｂに螺合し、調整ねじ６２の先が中段５４の当接孔５４ｂに当接するようになっている。すり割り５２も常時隙間を閉じる方向に付勢されており、中段５４の当接孔５４ｂに当接した調整ねじ６２を締める方向に回すと、付勢力に抗してすり割り５２の隙間は開き、一方調整ねじ６２を緩める方向に回すと、付勢力によってすり割り５２の隙間は閉じる。なお、調整ねじ６１，６２は特別に製造されたものでなく、一般に使用されているねじである。
【００３３】
また、圧着面調整機構５０には、支持部３０の下面に立設された円柱状の取付部３４が嵌入される取付穴５６が形成されている。圧着面調整機構５０の上段５３には取付穴５６に到達するすり割り５７が形成されており、ねじ５８の螺合によってすり割り５７ひいては取付穴５６が閉じられて圧着面調整機構５０が取付部３４に締め付け固定される。
【００３４】
また、圧着面調整機構５０の下面すなわち圧着部取付面５０ｂには圧着部４０が密着固定されている。圧着部４０は被圧着体１０に当接するツール４１とツール４１が取付固定される固定部４２を備えている。ツール４１の平坦な下面が圧着面４０ａである。固定部４２は支持部３０の下面に立設された円柱状の取付部３４に取付固定されている。固定部４２には加熱装置（図示省略）が内蔵されており、ツール４１を加熱する。
【００３５】
次に上述した圧着面調整機構５０の製造方法について説明する。予めすり割り５１，５２、ねじ孔５４ａ，５５ｂ、および取付穴５６が形成されたブロック体５０ｃを用意する。このブロック体５０ｃに調整ねじ６１，６２を螺合させ、調整ねじ６１，６２の各先端を当接孔５３ａ，５４ｂに当接させる。そしてさらに調整ねじ６１，６２を締める方向に回して、ブロック体５０ｃを弾性変形させてすり割り５１，５２を所定の開度まで拡げてその状態にて位置決め固定する。その後、その状態にてブロック体５０ｃの支持部取付面５０ａおよび圧着部取付面５０ｂを互いに平行となるように研削する。これにより、ブロック体５０ｃは、すり割り５１，５２が予め閉じる方向に付勢する付勢力を与えられた状態で所定の開度に開かれ、かつ支持部取付面５０ａおよび圧着部取付面５０ｂが互いに平行であるものとして製造される。
【００３６】
さらに、テーブル２０の保持面２０ａに対して圧着部４０の圧着面４０ａを平行に調整する調整方法について図６および図７を参照して説明する。装置の構成から説明すると、上述した圧着装置Ａは、図６に示すように、圧着部４０のツール４１を正面から撮像するための撮像装置６１と、圧着部４０のツール４１を撮像する際にツール４１を正面から照明するための照明装置６２をさらに備えている。次に初期設定について説明する。圧着部４０の圧着面４０ａとテーブル２０の保持面２０ａとの間に感圧紙を入れて当接し感圧紙の状態を見ながら調整ねじ６１，６２を調整して圧着部４０の圧着面４０ａとテーブル２０の保持面２０ａとを密接させることにより圧着面４０ａと保持面２０ａとを平行にし、初期設定されたツール４１の正面を撮像する。この初期設定状態であるツール４１の圧着面４０ａが水平である場合すなわち保持面２０ａと平行である場合を図７に２点鎖線にて示す。
【００３７】
さらに初期設定後の調整方法について説明する。撮像装置６１を使用してツール４１の正面を撮像する。撮像装置６１が撮像したツール４１を図７に実線にて示す。今回撮像した画像と初期設定時に撮像した画像を比較して、すなわちツール４１の正面に設けられた一対の基準マーク４１ａ，４１ａの中心を結ぶ直線の傾きを比較してその傾きを修正するように調整ねじ６１，６２を調整する。例えば、今回撮像したツール４１の基準マーク４１ａ，４１ａの中心を結ぶ直線（図７に実線で示す）を、初期設定時に撮像したツール４１の基準マーク４１ａ，４１ａの中心を結ぶ直線（図７に２点鎖線で示す）の傾きに合わせるように調整ねじ６１，６２を調整する。
【００３８】
上述した説明から理解できるように、この実施の形態においては、予め支持部取付面５０ａと圧着部取付面５０ｂとを平行に加工したブロック体５０ｃを支持部３０と圧着部４０との間に介装することにより、調整することなくテーブル２０の保持面２０ａに対して圧着部４０の圧着面４０ａを平行にすることができる。また調整が必要となる場合であっても微調整で平行にすることができる。
【００３９】
また、圧着面調整機構５０はブロック体５０ｃと調整ねじ６１，６２から構成されるので、圧着面調整機構５０の部品点数を低減しかつ圧着面調整機構５０を簡単に構成することができ、またコストを低減することができる。
【００４０】
また、調整手段は調整ねじ６１，６２から構成されているので、簡単な構成にてブロック体５０ｃに形成されたすり割り５１，５２の隙間を所定の開度だけ開くことができ、かつ確実に位置決め固定することができる。
【００４１】
また、ブロック体５０ｃは弾性材からなるので、簡単な構造にて容易に弾性変形させることができる。また、ブロック体５０ｃに隙間としてすり割り５１，５２を形成したので、簡単な構造にて隙間を形成することができる。
【００４２】
また、圧着面調整機構５０は、調整ねじ６１，６２によってブロック体５０ｃを弾性変形させてすり割り５１，５２の隙間を所定の開度だけ開き位置決め固定され、その後その状態にてブロック体５０ｃの支持部取付面５０ａおよび圧着部取付面５０ｂを互いに平行となるように研削される。これにより、ブロック体５０ｃの弾性力を利用して常時隙間を閉じるようにし、調整ねじ６１，６２によって弾性力に抗して隙間を開くようにすることができる。したがって、圧着面調整機構５０を簡単な構成にすることができる。
【００４３】
また、圧着面調整機構５０にすり割り５１，５２の隙間が２以上形成される場合には、各隙間を互いに異なる方向に開閉するようにしたので、ブロック体５０ｃの支持部取付面５０ａおよび圧着部取付面５０ｂの平行度の調整を同一方向だけでなく複数の異なる方向で行うことができるため、より確実に平行度を導出することができる。
【００４４】
なお、上述した実施の形態においては、水平な保持面２０ａに被圧着体１０を保持するようにしたが、水平でない保持面に被圧着体１０を保持してその被圧着体１０を圧着する圧着装置に本発明を適用することができる。
【００４５】
また、上述した実施の形態においては、圧着面調整機構５０をブロック体５０ｃで構成するようにしたが、隙間をおいて対向させて配置された複数のブロックから構成するようにしてもよい。この場合、隣接するブロックの端を連結部材によって連結する。この連結部材は弾性材にて形成され、隙間を閉じるように隣接する部材を付勢するものである。連結部材としては、例えば、金属製の薄い板材が挙げられる。
【００４６】
また、上述した実施の形態においては、ブロック体５０ｃを金属材にて形成するようにしたが、他の弾性材例えば硬い合成樹脂材から形成するようにしてもよい。
【００４７】
また、上述した実施の形態においては、ブロック体５０ｃに隙間５１，５２を２つ形成するようにしたが、形成する隙間は１つでもよく、また３つ以上でもよい。
【００４８】
また、上述した実施の形態においては、圧着面調整機構５０を製造する際に、調整ねじ６１，６２を使用して予め隙間を拡げるようにしたが、これに代えてクサビ状に形成された挿入体を隙間に嵌入して隙間を拡げて位置決め固定し、その状態にてブロック体５０ｃの支持部取付面５０ａおよび圧着部取付面５０ｂを互いに平行となるように研削するようにしてもよい。
【図面の簡単な説明】
【００４９】
【図１】本発明による圧着面調整機構を適用した圧着装置の一実施の形態を示す側面図である。
【図２】図１の圧着面調整機構を示す上面図である。
【図３】図１の圧着面調整機構を示す下面図である。
【図４】図１の圧着面調整機構を示す正面図である。
【図５】図１の圧着面調整機構を示す側面図である。
【図６】圧着部のツールを撮像する撮像装置および同ツールを照明する照明装置をさらに備えた圧着装置を示す側面図である。
【図７】図６に示す撮像装置によって撮像されたツールを示す図である。
【符号の説明】
【００５０】
Ａ…圧着装置、１０…被圧着体、１１…液晶駆動ＩＣ、１２…液晶、１３…基板、２０…テーブル、２０ａ…保持面、３０…支持部、３１…ＸＹスライダ、３２…ガイドレール、３３…摺動係合部材、３４…取付部、４０…圧着部、４０ａ…圧着面、４１…ツール、４１ａ…基準マーク、４２…固定部、５０…圧着面調整機構、５０ａ…支持部取付面、５０ｂ…圧着部取付面、５０ｃ…ブロック体、５１，５２…すり割り、５１ａ，５２ａ…連結しろ、５３…上段、５４…中段、５５…下段、６１，６２…調整ねじ、５４ａ，５５ｂ…ねじ孔、５３ａ，５４ｂ…当接孔、５６…取付穴、５７…すり割り、５８…ねじ、６１…撮像装置、６２…照明装置。
【図１】
2005158888.tif 000003
【図２】
2005158888.tif 000004
【図３】
2005158888.tif 000005
【図４】
2005158888.tif 000006
【図５】
2005158888.tif 000007
【図６】
2005158888.tif 000008
【図７】
2005158888.tif 000009